【手続補正書】
【提出日】平成19年12月12日(2007.12.12)
【手続補正１】
【補正対象書類名】特許請求の範囲
【補正対象項目名】全文
【補正方法】変更
【補正の内容】
【特許請求の範囲】
【請求項１】
有効期限または閲覧権限の情報が設定された画像データまたはテキストのデータを含む商品情報および広告情報と、レイアウトの設定情報を含むドキュメントテンプレートとを保持した保持手段と、
前記保持手段に保持された有効期限または閲覧権限の情報、およびドキュメントテンプレートの設定情報に従って、前記商品情報および前記広告情報を文書に動的にレイアウトするレイアウト手段と
を有し、前記保持手段は、前記レイアウト手段によりレイアウトされた前記文書を、権限確認装置において妥当性を確認するために保持することを特徴とする文書処理装置。
【請求項２】
前記レイアウト手段は、
前記商品情報および前記広告情報のうちのいずれかの前記画像データまたは前記テキストのデータを文書に動的にレイアウトする動的なレイアウト手段と、
前記商品情報および前記広告情報のうち前記動的なレイアウト手段によってレイアウトされていない前記画像データまたは前記テキストのデータを動的にレイアウトしたうえで、前記動的なレイアウト手段によりレイアウトされた文書に差し込む手段と
を含むことを特徴とする請求項１に記載の文書処理装置。
【請求項３】
前記レイアウト手段によりレイアウトされた前記文書を画像形成装置に対して送信する送信手段を更に備え、
前記画像形成装置から、前記権限確認装置に対して前記文書の妥当性の確認を行い、前記文書が妥当である場合は、前記画像形成装置に保持された前記文書を出力し、前記文書が妥当でない場合、前記レイアウト手段は、前記文書処理装置において妥当なレイアウトの文書を作成し、前記送信手段は作成された前記文書を前記画像形成装置へ送信し、前記文書を出力する手段をさらに備えたことを特徴とする請求項１に記載の文書処理装置。
【請求項４】
前記商品情報と前記広告情報それぞれの前記有効期限または前記閲覧権限の情報によって、最も有効期限が短く、最も閲覧権限が厳しいレイアウト済み文書を画像形成装置に対して送信する送信手段をさらに備えたことを特徴とする請求項１に記載の文書処理装置。
【請求項５】
画像形成装置から、一定期間をおいて前記権限確認装置に対して前記文書の妥当性の確認を行い、前記文書が妥当でない場合は、前記文書処理装置において妥当なレイアウトの文書を作成し、前記画像形成装置へ送信し、保存させる手段をさらに備えたことを特徴とする請求項１に記載の文書処理装置。
【請求項６】
前記保持手段は、前記文書に対して、前記有効期限または前記閲覧権限の情報を無効にする設定をさらに保持し、前記設定が無効である場合は、画像形成装置へ、前記権限確認装置に対して前記文書の妥当性の確認を行わないレイアウト済み文書を送信し、保存させる手段をさらに備えたことを特徴とする請求項１に記載の文書処理装置。
【請求項７】
有効期限または閲覧権限の情報が設定された画像データまたはテキストのデータを含む商品情報および広告情報と、レイアウトの設定情報を含むドキュメントテンプレートとを保持した保持ステップと、
前記保持ステップに保持された有効期限または閲覧権限の情報、およびドキュメントテンプレートの設定情報に従って、前記商品情報および前記広告情報を文書に動的にレイアウトするレイアウトステップと
を有し、前記保持ステップは、前記レイアウトステップによりレイアウトされた前記文書を、権限確認装置において妥当性を確認するために保持することを特徴とするコンピュータに実行させるためのコンピュータで読み出すことができるプログラム。
【請求項８】
前記レイアウトステップは、
前記商品情報および前記広告情報のうちのいずれかの前記画像データまたは前記テキストのデータを文書に動的にレイアウトする動的なレイアウトステップと、
前記商品情報および前記広告情報のうち前記動的なレイアウト手段によってレイアウトされていない前記画像データまたは前記テキストのデータを動的にレイアウトしたうえで、前記動的なレイアウトステップによりレイアウトされた文書に差し込むステップと
を含むことを特徴とするコンピュータに実行させるための請求項７に記載のコンピュータで読み出すことができるプログラム。
【請求項９】
前記レイアウトステップによりレイアウトされた前記文書を画像形成装置に対して送信する送信ステップを更に備え、
前記画像形成装置から、前記権限確認装置に対して前記文書の妥当性の確認を行い、前記文書が妥当である場合は、前記画像形成装置に保持された前記文書を出力し、前記文書が妥当でない場合、前記レイアウトステップは、前記文書処理装置において妥当なレイアウトの文書を作成し、前記送信ステップは作成された前記文書を前記画像形成装置へ送信し、前記文書を出力するステップをさらに備えたことを特徴とするコンピュータに実行させるための請求項７に記載のコンピュータで読み出すことができるプログラム。
【請求項１０】
前記商品情報と前記広告情報それぞれの前記有効期限または前記閲覧権限の情報によって、最も有効期限が短く、最も閲覧権限が厳しいレイアウト済み文書を画像形成装置に対して送信する送信ステップをさらに備えたことを特徴とするコンピュータに実行させるための請求項７に記載のコンピュータで読み出すことができるプログラム。
【請求項１１】
画像形成装置から、一定期間をおいて前記権限確認装置に対して前記文書の妥当性の確認を行い、前記文書が妥当でない場合は、前記文書処理装置において妥当なレイアウトの文書を作成し、前記画像形成装置へ送信し、保存させるステップをさらに備えたことを特徴とするコンピュータに実行させるための請求項７に記載のコンピュータで読み出すことができるプログラム。
【請求項１２】
前記保持ステップは、前記文書に対して、前記有効期限または前記閲覧権限の情報を無効にする設定をさらに保持し、前記設定が無効である場合は、画像形成装置へ、前記権限確認装置に対して前記文書の妥当性の確認を行わないレイアウト済み文書を送信し、保存させるステップをさらに備えたことを特徴とするコンピュータに実行させるための請求項７に記載のコンピュータで読み出すことができるプログラム。
【請求項１３】
有効期限または閲覧権限の情報が設定された画像データまたはテキストのデータを含む商品情報および広告情報と、レイアウトの設定情報を含むドキュメントテンプレートとを保持した保持ステップと、
前記保持ステップに保持された有効期限または閲覧権限の情報、およびドキュメントテンプレートの設定情報に従って、前記商品情報および前記広告情報を文書に動的にレイアウトするレイアウトステップと
を有し、前記保持ステップは、前記レイアウトステップによりレイアウトされた前記文書を、権限確認装置において妥当性を確認するために保持することを特徴とするコンピュータに実行させるためのコンピュータで読み出すことができるプログラムを格納した記憶媒体。
【請求項１４】
前記レイアウトステップは、
前記商品情報および前記広告情報のうちのいずれかの前記画像データまたは前記テキストのデータを文書に動的にレイアウトする動的なレイアウトステップと、
前記商品情報および前記広告情報のうち前記動的なレイアウト手段によってレイアウトされていない前記画像データまたは前記テキストのデータを動的にレイアウトしたうえで、前記動的なレイアウトステップによりレイアウトされた文書に差し込むステップと
を含むことを特徴とするコンピュータに実行させるための請求項１３に記載のコンピュータで読み出すことができるプログラムを格納した記憶媒体。
【請求項１５】
前記レイアウトステップによりレイアウトされた前記文書を画像形成装置に対して送信する送信ステップを更に備え、
前記画像形成装置から、前記権限確認装置に対して前記文書の妥当性の確認を行い、前記文書が妥当である場合は、前記画像形成装置に保持された前記文書を出力し、前記文書が妥当でない場合、前記レイアウトステップは、前記文書処理装置において妥当なレイアウトの文書を作成し、前記送信ステップは作成された前記文書を前記画像形成装置へ送信し、前記文書を出力するステップをさらに備えたことを特徴とするコンピュータに実行させるための請求項１３に記載のコンピュータで読み出すことができるプログラムを格納した記憶媒体。
【請求項１６】
前記商品情報と前記広告情報それぞれの前記有効期限または前記閲覧権限の情報によって、最も有効期限が短く、最も閲覧権限が厳しいレイアウト済み文書を画像形成装置に対して送信する送信ステップをさらに備えたことを特徴とするコンピュータに実行させるための請求項１３に記載のコンピュータで読み出すことができるプログラムを格納した記憶媒体。
【請求項１７】
画像形成装置から、一定期間をおいて前記権限確認装置に対して前記文書の妥当性の確認を行い、前記文書が妥当でない場合は、前記文書処理装置において妥当なレイアウトの文書を作成し、前記画像形成装置へ送信し、保存させるステップをさらに備えたことを特徴とするコンピュータに実行させるための請求項１３に記載のコンピュータで読み出すことができるプログラムを格納した記憶媒体。
【請求項１８】
前記保持ステップは、前記文書に対して、前記有効期限または前記閲覧権限の情報を無効にする設定をさらに保持し、前記設定が無効である場合は、画像形成装置へ、前記権限確認装置に対して前記文書の妥当性の確認を行わないレイアウト済み文書を送信し、保存させるステップをさらに備えたことを特徴とするコンピュータに実行させるための請求項１３に記載のコンピュータで読み出すことができるプログラムを格納した記憶媒体。
【請求項１９】
コンテンツデータの有効期限を確認する判定手段と、
前記判定手段による判定の結果、前記コンテンツデータの有効期限が無効である場合、前記コンテンツデータの印刷を行わない制御手段とを有することを特徴とする情報処理装置。
【請求項２０】
前記制御手段において、前記コンテンツデータの有効期限が無効である場合、前記コンテンツデータを該コンテンツデータと関連付けられている有効期限が有効なコンテンツデータに変更して印刷を行うことを特徴とする請求項１９に記載の情報処理装置。
【請求項２１】
前記制御手段において、前記コンテンツデータの有効期限が無効である場合、印刷のためのデータを構成するテンプレートのレイアウトを動的に変更することを特徴とする請求項１９に記載の情報処理装置。
【請求項２２】
コンテンツデータの有効期限を確認する判定ステップと、
前記判定ステップによる判定の結果、前記コンテンツデータの有効期限が無効である場合、前記コンテンツデータの印刷を行わない制御ステップとを有することを特徴とする情報処理方法。
【請求項２３】
前記制御ステップにおいて、前記コンテンツデータの有効期限が無効である場合、前記コンテンツデータを該コンテンツデータと関連付けられている有効期限が有効なコンテンツデータに変更して印刷を行うことを特徴とする請求項２２に記載の情報処理方法。
【請求項２４】
前記制御ステップにおいて、前記コンテンツデータの有効期限が無効である場合、印刷のためのデータを構成するテンプレートのレイアウトを動的に変更することを特徴とする請求項２２に記載の情報処理方法。
【請求項２５】
コンテンツデータの有効期限を確認する判定ステップと、
前記判定ステップによる判定の結果、前記コンテンツデータの有効期限が無効である場合、前記コンテンツデータの印刷を行わない制御ステップとを有することを特徴とするプログラム。
【請求項２６】
前記制御ステップにおいて、前記コンテンツデータの有効期限が無効である場合、前記コンテンツデータを該コンテンツデータと関連付けられている有効期限が有効なコンテンツデータに変更して印刷を行うことを特徴とする請求項２５に記載のプログラム。
【請求項２７】
前記制御ステップにおいて、前記コンテンツデータの有効期限が無効である場合、印刷のためのデータを構成するテンプレートのレイアウトを動的に変更することを特徴とする請求項２５に記載のプログラム。
【手続補正２】
【補正対象書類名】明細書
【補正対象項目名】発明の名称
【補正方法】変更
【補正の内容】
【発明の名称】文書処理装置、プログラム及び記憶媒体
【手続補正３】
【補正対象書類名】明細書
【補正対象項目名】０００１
【補正方法】変更
【補正の内容】
【０００１】
本発明は、文書処理装置、プログラム及び記憶媒体に関するものである。
【手続補正４】
【補正対象書類名】明細書
【補正対象項目名】００１２
【補正方法】変更
【補正の内容】
【００１２】
上述した課題を解決するために、本発明は、有効期限または閲覧権限の情報が設定された画像データまたはテキストのデータを含む商品情報および広告情報と、レイアウトの設定情報を含むドキュメントテンプレートとを保持した保持手段と、保持手段に保持された有効期限または閲覧権限の情報、およびドキュメントテンプレートの設定情報に従って、商品情報および広告情報を文書に動的にレイアウトするレイアウト手段とを有し、保持手段は、レイアウト手段によりレイアウトされた前記文書を、権限確認装置において妥当性を確認するために保持することを特徴とする文書処理装置を備える。